(57)【要約】【課題】特に障害物裏に潜む害虫を効率的に駆除又は防除することのできる害虫防除方法及び害虫防除用エアゾール剤の使用方法を提供すること。【解決手段】害虫防除用エアゾール剤を用いて屋内の害虫を防除する方法であって、５０ｃｍ離れた位置から噴射した際の２５℃における噴射力が４．７〜１５ｇｆである害虫防除用エアゾール剤を用い、屋内の噴射対象の噴射目標位置から直線距離で１．６〜３．４ｍ離れた位置から、前記噴射目標位置に向けて前記害虫防除用エアゾール剤を噴射する害虫防除方法とする。【選択図】図１
2018093866.tif 000002
【特許請求の範囲】
【請求項１】
害虫防除用エアゾール剤を用いて屋内の害虫を防除する方法であって、
５０ｃｍ離れた位置から噴射した際の２５℃における噴射力が４．７〜１５ｇｆである害虫防除用エアゾール剤を用い、
屋内の噴射対象の噴射目標位置から直線距離で１．６〜３．４ｍ離れた位置から、前記噴射目標位置に向けて前記害虫防除用エアゾール剤を噴射することを特徴とする害虫防除方法。
【請求項２】
前記噴射対象が、壁、パーテーション壁、窓ガラス、天井及びドアからなる群から選択される少なくとも１つであることを特徴とする請求項１に記載の害虫防除方法。
【請求項３】
前記噴射目標位置を中心とする１３００ｃｍ２の領域内に付着した前記害虫防除用エアゾール剤の原液量を原液量（ａ）とし、前記噴射対象の対象面の前記噴射目標位置から５０ｃｍ離れた位置に噴射方向と平行に設けられた、前記噴射対象と同じ材質からなる板材の１３００ｃｍ２の領域に付着した前記害虫防除用エアゾール剤の原液量を原液量（ｂ）としたとき、
前記原液量（ａ）に対する前記原液量（ｂ）の割合（ｂ）／（ａ）が０．１５以上であることを特徴とする請求項１又は２に記載の害虫防除方法。
【発明の詳細な説明】
【技術分野】
【０００１】
本発明は、害虫防除方法及び害虫防除用エアゾール剤の使用方法に関し、より詳しくは、屋内において害虫防除用エアゾール剤を用いて害虫を防除する方法、並びに害虫防除用エアゾール剤の使用方法に関する。
【背景技術】
【０００２】
屋内に出現する害虫（例えば、蚊、ハエ、蜘蛛、ゴキブリ、ダニ等の飛翔害虫や衛生害虫）を駆除又は防除する方法として、噴霧型の殺虫剤を害虫に対して使用する方法、燻煙型の殺虫剤を屋内空間に処理する方法、餌中に殺虫成分を混入した毒餌剤を使用する方法、誘引剤を備えた捕獲器を設置して害虫を誘引捕獲する方法等がある。
【０００３】
中でも、噴霧型の殺虫剤は、取り扱いが容易であるため汎用されている。屋内で使用される噴霧型の殺虫剤の使用方法としては、屋内の空間を飛翔する害虫や壁や床面を徘徊する害虫等の対象害虫をめがけて、直撃型のエアゾール剤を直接処理する方法や、少量噴射型（１プッシュ噴射型）のエアゾール剤や液体スプレー剤を屋内空間に噴射する方法等が行われる。
【０００４】
例えば、直撃型のエアゾール剤として、特許文献１には、噴霧到達距離（ｃｍ）と、１秒間当りの噴霧量（ｇ）と、有効成分であるピレスロイド化合物の重量濃度（％）を用いた特定の式で算出される値を特定範囲となるように規定した害虫防除用の直撃型エアゾールが提案されている。
【先行技術文献】
【特許文献】
【０００５】
【特許文献１】特開２０１４−１５６４６３号公報
【発明の概要】
【発明が解決しようとする課題】
【０００６】
屋内において、害虫は、例えばカーテンの裏のような壁と障害物との間に潜んでいる可能性があるが、直撃型のエアゾール剤を直接処理する方法では、害虫を見つけ出す作業に対し不快感や煩雑性を伴い、また、殺虫剤を屋内空間に噴射する方法では、十分な即効性が得られない場合があり、改善が求められている。
【０００７】
そこで本発明は、害虫防除用エアゾール剤を用いて害虫を防除する方法であって、特に障害物裏に潜む害虫を効率的に駆除又は防除することのできる害虫防除方法及び害虫防除用エアゾール剤の使用方法を提供することを課題とする。
【課題を解決するための手段】
【０００８】
本発明者は噴射型の殺虫剤の使用方法について種々検討を重ね、使用するエアゾール剤の噴射力及び噴射目標位置からの距離を調整することで、特に屋内の壁面或いはその近傍に滞在する害虫に対して最大限の防除効果が得られる害虫防除方法を見出した。
【０００９】
すなわち、上記課題は、下記構成＜１＞〜＜３＞により解決される。
＜１＞害虫防除用エアゾール剤を用いて屋内の害虫を防除する方法であって、５０ｃｍ離れた位置から噴射した際の２５℃における噴射力が４．７〜１５ｇｆである害虫防除用エアゾール剤を用い、屋内の噴射対象の噴射目標位置から直線距離で１．６〜３．４ｍ離れた位置から、前記噴射目標位置に向けて前記害虫防除用エアゾール剤を噴射することを特徴とする害虫防除方法。
＜２＞前記噴射対象が、壁、パーテーション壁、窓ガラス、天井及びドアからなる群から選択される少なくとも１つであることを特徴とする前記＜１＞に記載の害虫防除方法。
＜３＞前記噴射目標位置を中心とする１３００ｃｍ２の領域内に付着した前記害虫防除用エアゾール剤の原液量を原液量（ａ）とし、前記噴射対象の対象面の前記噴射目標位置から５０ｃｍ離れた位置に噴射方向と平行に設けられた、前記噴射対象と同じ材質からなる板材の１３００ｃｍ２の領域に付着した前記害虫防除用エアゾール剤の原液量を原液量（ｂ）としたとき、前記原液量（ａ）に対する前記原液量（ｂ）の割合（ｂ）／（ａ）が０．１５以上であることを特徴とする前記＜１＞又は＜２＞に記載の害虫防除方法。
【発明の効果】
【００１０】
本発明の害虫防除方法及び害虫防除用エアゾール剤の使用方法によれば、害虫防除用エアゾール剤が噴射されて噴霧粒子が噴射目標位置に到達した後、薬剤を含む噴霧粒子は噴射対象の対象面に沿うように流動する。よって、対象面或いはその近傍に滞在する害虫に薬剤の有効成分を作用させることができるため、優れた害虫防除効果を発揮することができる。具体的に、例えばカーテンやタンス等の障害物と壁面との間に潜んでいる害虫に対しても、該害虫に狙いを定めてエアゾール剤を噴射する必要がなく、煩雑性を感じることなく害虫の駆除又は防除をすることができる。
そしてまた、本発明の方法では噴射目標位置から１．６〜３．４ｍ離れた位置からエアゾール剤を噴射するので、対象面がエアゾール剤の原液で過剰に濡れることがない。
【図面の簡単な説明】
【００１１】
【図１】本発明の害虫防除方法の第１実施形態を説明するための部屋の概略平面図である。
【図２】移動点における原液量（ｂ）の測定方法を説明するための部屋の斜視図である。
【図３】本発明の害虫防除方法の第２実施形態を説明するための部屋の概略平面図である。
【図４】本発明の害虫防除方法の第３実施形態を説明するための部屋の概略側面図である。
【図５】試験例３で使用した部屋の概略平面図である。
【発明を実施するための形態】
【００１２】
以下、本発明について更に詳しく説明する。
なお、本明細書において、害虫の「防除」には「駆除」の意味合いも含むものとして説明する。
【００１３】
本発明の害虫防除方法は、５０ｃｍ離れた位置から噴射した際の２５℃における噴射力が４．７〜１５ｇｆである害虫防除用エアゾール剤を用い、屋内の噴射対象の噴射目標位置から直線距離で１．６〜３．４ｍ離れた位置から、前記噴射目標位置に向けて前記害虫防除用エアゾール剤を噴射することを特徴としている。以下、５０ｃｍ離れた位置から噴射した際の噴射力の単位を「ｇｆ／５０ｃｍ」と略すことがある。
【００１４】
＜害虫防除用エアゾール剤＞
本発明で用いる害虫防除用エアゾール剤（以下、単に「エアゾール剤」ともいう。）は、噴射剤（すなわち、液化ガス、圧縮ガス又はそれらの混合ガス）と、原液（すなわち、溶媒と、殺虫剤、忌避剤、殺菌剤のような薬剤からなる溶質）とを含むものを用いることができる。
【００１５】
噴射剤としては、例えば、ジメチルエーテル（ＤＭＥ）、液化石油ガス（ＬＰＧ）、ｎ−ブタン、イソブタン、プロパン、イソペンタン、ｎ−ペンタン、シクロペンタン、プロピレン、ｎ−ブチレン、イソブチレン、エチルエーテル、炭酸ガス、窒素ガス及び使用上問題がないフロンガス（ＨＣＦＣ２２、１２３、１２４、４１ｂ、１４２ｂ、２２５、ＨＦＣ１２５、１３４ａ、１４３ａ、１５２ａ、１２、２２７ａ）、ＨＦＯ１２３４Ｚｅ等を挙げることができる。これらは１種を単独で用いてもよく、２種以上を組み合わせて用いてもよい。
中でも好ましくは、ＤＭＥ、ＬＰＧ、ｎ−ブタン、イソブタン、プロパン、炭酸ガス、窒素ガス、フロン１３４ａ等を挙げることができる。
【００１６】
溶媒としては、例えば、水、メタノール，エタノール，イソプロパノール，エチレングリコール，ジエチレングリコールモノブチルエーテル，エチレングリコールモノメチルエーテル等のアルコール類、アセトン，メチルエチルケトン，メチルイソブチルケトン等ケトン類、酢酸メチル，酢酸エチル，酢酸ブチル，ミリスチン酸イソプロピル等のエステル類、その他エチルエーテル、ｎ−ヘキサン，ケロシン，灯油（炭素数１０〜１６のノルマルパラフィン、炭素数８〜１４のイソパラフィン等のＪＩＳ  １号灯油等），ｎ−ペンタン，イソペンタン，シクロペンタン等の脂肪族炭化水素類等を挙げることができる。これらは１種を単独で用いてもよく、２種以上を組み合わせて用いてもよい。
【００１７】
薬剤としては、殺虫剤、殺菌剤、殺ダニ剤、忌避剤等が挙げられ、対象害虫の種類に合わせて適宜選択される。
【００１８】
殺虫剤としては、安全性の観点からピレスロイド系の化合物を用いることが好ましく、代表的なものを例示すると、次のとおりである。
・ｄｌ−３−アリル−２−メチル−４−オキソ−２−シクロペンテニル−ｄｌ−シス／トランス−クリサンテマート（一般名アレスリン：商品名ピナミン：住友化学工業株式会社製）
・ｄｌ−３−アリル−２−メチル−４−オキソ−２−シクロペンテニル−ｄ−シス／トランス−クリサンテマート（商品名ピナミンフォルテ：住友化学工業株式会社製）
・ｄｌ−３−アリル−２−メチル−４−オキソ−２−シクロペンテニル−ｄ−トランス−クリサンテマート（商品名バイオアレスリン：ユクラフ社製）
・ｄ−３−アリル−２−メチル−４−オキソ−２−シクロペンテニル−ｄ−トランス−クリサンテマート（商品名エキスリン：住友化学工業株式会社製、商品名エスバイオール：ユクラフ社製）
・（５−ベンジル−３−フリル）メチル−ｄ−シス／トランス−クリサンテマート（一般名レスメトリン、商品名クリスロンフォルテ：住友化学工業株式会社製）
・５−プロパギル−２−フリルメチル−ｄ−シス／トランス−クリサンテマート（一般名フラメトリン、商品名ピナミンＤフォルテ：住友化学工業株式会社製）
・（＋）−２−メチル−４−オキソ−３−（２−プロピニル）−２−シクロペンテニル（＋）−シス／トランス−クリサンテマート（一般名プラレトリン、商品名エトック：住友化学工業株式会社製）
・ｄｌ−３−アリル−２−メチル−４−オキソ−２−シクロペンテニル−ｄｌ−シス／トランス−２，２，３，３−テトラメチルシクロプロパンカルボシキラート（一般名テラレスリン：住友化学工業株式会社製）
・（１，３，４，５，６，７−ヘキサヒドロ−１，３−ジオキソ−２−イソインドリル）メチル−ｄｌ−シス／トランス−クリサンテマート（一般名フタルスリン、商品名ネオピナミン：住友化学工業株式会社製）
・（１，３，４，５，６，７−ヘキサヒドロ−１，３−ジオキソ−２−イソインドリル）メチル−ｄ−シス／トランス−クリサンテマート（商品名ネオピナミンフォルテ：住友化学工業株式会社製）
・３−フェノキシベンジル−ｄ−シス／トランス−クリサンテマート（一般名フェノトリン、商品名スミスリン：住友化学工業株式会社製）
・３−フェノキシベンジル−ｄｌ−シス／トランス−３−（２，２−ジクロロビニル）−２，２−ジメチル−１−シクロプロパンカルボキシラート（一般名ペルメトリン、商品名エクスミン：住友化学工業株式会社製）
・（±）α−シアノ−３−フェノキシベンジル（＋）−シス／トランス−クリサンテマート（一般名シフェノトリン、商品名ゴキラート：住友化学工業株式会社製）
・（±）α−シアノ−３−フェノキシベンジル−ｄｌ−シス／トランス−３−（２，２−ジメチル−１−シクロプロパンカルボキシラート（一般名サイパーメスリン）
・ｄ−トランス−２，３，５，６−テトラフルオロベンジル−３−（２，２−ジクロロビニル）−２，２−ジメチル−１−シクロプロパンカルボキシレート（一般名トランスフルスリン）
・イミプロトリン
・トラロメスリン
・メトフルトリン
・モンフルオロトリン
・メパフルトリン
【００１９】
また、その他の殺虫剤として、カーバメイト系のものとしてプロポクサー、オキサジアゾール系のものとしてメトキサジアゾン、有機リン系のものとしてＤＤＶＰ等を挙げることができる。
【００２０】
殺菌剤としては、例えば、パラ−クロロ−メタキシレノール（ＰＣＭＸ）、２，４，４′−トリクロロ−２′−ハイドロキシジフェニルエーテル（イルガサンＤＰ−３００）、３−ヨード−２−プロピニルブチルカーバメート（トロイサン）等が挙げられる。
【００２１】
殺ダニ剤としては、例えば、フェノトリン、ペルメトリン、レスメトリン、ＩＢＴＡ、ＩＢＴＥ、第４級アンモニウム塩、安息香酸ベンジル、安息香酸フェニル、サリチル酸ベンジル、サリチル酸フェニル、３−ブロモ−２，３−ヨード−２−プロペニル−エチルカルボナート、４−クロルフェニール−３−ヨードプロパルギルホルマール等が挙げられる。
【００２２】
忌避剤としては、例えば、Ｎ，Ｎ−ジエチル−メタ−トルアミド（ディート）、３−（Ｎ−ｎ−ブチル−Ｎ−アセチル）アミノプロピオン酸エチルエステル、ｐ−メンタン−３，８−ジオール、１−メチルプロピル−２−（２−ヒドロキシエチル）−１−ピペリジンカルボキシレート、２，３，４，５−ビス（Δ２−ブチレン）−テトラヒドロフルフラール、ジ−ｎ−プロピルイソシンコメロネート、ジ−ｎ−ブチルサクシネート、２−ヒドロキシエチルオクチルサルフアイド、２−ｔ−ブチル−４−ヒドロキシアニソール、３−ｔ−ブチル−４−ヒドロキシアニソール・１−エチニル−２−メチル−ペンテニル２，２，３，３−テトラメチルシクロプロパンカルボキシレート、１−エチニル−２−メチル−２−ペンテニル２，２−ジメチル−３−（２′，２′−ジクロルビニル）−シクロプロパン−１−カルボキシレート、１−エチニル−２−メチル−２−ペンテニル２，２−ジメチル−３−（２′−１′−プロピペニル）−シクロプロパン−１−カルボキシレート、Ｎ−ヘキシル−３，４−ジクロルマレイミド等が挙げられる。
【００２３】
原液には、上記薬剤の他に昆虫幼若ホルモン、芳香剤、消臭剤、界面活性剤、酸化防止剤、紫外線吸収剤等を混合することができる。
【００２４】
昆虫幼若ホルモンとしては、例えば、幼若ホルモン、アンチ幼虫ホルモン、脱皮阻害ホルモン等、代表的には、メトプレン、ハイドロプレン、Ｓ−ハイドロプレン、ピリプロキシフェン、フェノキシカーブ、イミダゾール系（１−メチル−５−（２，６−ジメチル−１，５−ヘプタジエニル）イミダゾール、１−エチル−５−（２，６−ジメチル−１，５−ヘプタジエニル）イミダゾール）等が挙げられる。
【００２５】
芳香剤としては、例えば、じゃ香、ベルガモット油、シンナモン油、シトロネラ油、レモン油、レモングラス油等の天然香料、ピネン、リモネン、リナロール、メントール、ボルネオール、オイゲノール、シトラール、シトロネラール、ヘリオトピン、ワニリン等の人造香料等が挙げられる。
【００２６】
消臭剤としては、例えば、ラウリルメタクリレート、ゲラニルクロトネート、ミリスチル酸アセトフエノン、パラメチルアセトフエノンベンズアルデヒド等が挙げられる。
【００２７】
酸化防止剤としては、例えば、３，５−ジ−ｔ−ブチル−４−ヒドロキシトルエン、３−ｔ−ブチル−４−ヒドロキシアニソール、メルカプトベンズイミダゾール、ジラウリル−チオ−ジ−プロピオネート、２，２′−メチレン−ビス−（６−ｔ−ブチル−４−メチルフェノール）、４，４′−メチレン−ビス−（２，６−ジ−ｔ−ブチルフェノール）、４，４′−チオ−ビス−（６−ｔ−ブチル−３−メチルフェノール）、フェニル−β−ナフチルアミン、２−ｔ−ブチル−４−メトキシフェノール、ステアリル−β−（３，５−ジ−ｔ−ブチル−４−ヒドロキシフェニル）プロピオネート、α−トコフェロール、アスコルビン酸、エリソルビン酸等が挙げられる。
【００２８】
エアゾール剤中の原液と噴射剤の配合割合（液ガス比）は、原液／噴射剤（容量比）として、５／９５〜５０／５０の範囲から使用目的に応じて適切な割合を選択することができる。噴射剤の割合が９５容量％より多いと、噴霧粒子が対象面に付着せずに飛散する傾向が高くなり、５０容量％より少ないと、微細な噴霧粒子が得られず、対象面が濡れやすくなったり、噴射力が不足する場合がある。原液と噴射剤の配合割合（容量比）は、１０／９０〜４０／６０がより好ましく、１５／８５〜３５／６５が更に好ましい。
【００２９】
本発明では、５０ｃｍ離れた位置から噴射した際の２５℃における噴射力が４．７〜１５ｇｆである害虫防除用エアゾール剤を用いる。噴射位置から５０ｃｍの距離における噴射力（２５℃）が４．７〜１５ｇｆ（０．０４６〜０．１４７Ｎ）の範囲であるエアゾール剤であれば、噴射対象から１．６〜３．４ｍ離れた位置から噴射した際に、エアゾール剤の原液による噴射対象の対象面濡れを抑制し、且つ噴霧粒子を対象面に沿って流動させることができるので、薬剤を拡散させることができる。２５℃における噴射力は、薬剤の付着と拡散性バランスの観点から、５〜１３ｇｆ／５０ｃｍの範囲に設定するのが好ましく、５〜１０ｇｆ／５０ｃｍの範囲がより好ましい。
【００３０】
上記噴射力は、例えば、２５℃の恒温槽に入れて温度を約２５℃に安定させたエアゾール剤を、デジタルフォースゲージに装着した所定の直径の円形平板に向けて５０ｃｍ離れた位置から噴射した際の最大値として測定することができる。
【００３１】
なお、エアゾール剤の噴射力は、エアゾールバルブの仕様、噴射ボタンの噴口の孔径、ノズルの形状等を調節したり、噴射剤の種類や原液と噴射剤の含有比を調節することにより、設定することができる。
【００３２】
また本発明において、エアゾール剤の２５℃における噴射量は、５〜５０ｇ／１０秒であることが好ましく、１０〜３０ｇ／１０秒がより好ましい。噴射量が前記範囲であると、噴霧粒子による対象面の濡れが抑えられ、噴射時の使用性に優れたものとなる。
なお、噴射量は、エアゾールバルブの仕様、噴射ボタンの噴口の孔径、ノズルの形状等を調節したり、噴射剤の種類や原液と噴射剤の含有比を調節することにより調整することができる。
【００３３】
＜害虫防除用エアゾール剤を用いた防除方法＞
本発明は、上記した害虫防除用エアゾール剤を用いて、屋内の噴射対象の噴射目標位置から直線距離で１．６〜３．４ｍ離れた位置から、前記噴射目標位置に向けて噴射することにより、害虫を防除する。本発明の防除方法によれば、特にカーテンやタンス等の障害物の裏の空間に潜む害虫に対しても効果的に防除することができる。
【００３４】
以下、本発明の害虫防除方法について図面を参照しながら説明する。
図１は、本発明の害虫防除方法の第１実施形態を説明するための部屋の概略平面図である。図１において、部屋１０は、壁面１１，１２，１３，１４と図示しない床面と天井により囲まれて構成されている。ここでは、壁面１１に対し害虫の防除を行う形態について説明する。
【００３５】
本発明によれば、害虫防除用エアゾール剤の噴射位置Ａと、対象面である壁面１１の噴射目標位置Ｂとの距離Ｄ１が、１．６〜３．４ｍの範囲である必要がある。噴射目標位置Ｂは、壁面１１の任意の箇所に存在し、使用者によるエアゾール剤の噴射直線方向Ｃと壁面１１との交点である。エアゾール剤の噴射直線方向Ｃとは、エアゾール剤のノズルの向く方向である。
【００３６】
図１の形態では、噴射位置Ａと噴射目標位置Ｂとを結ぶ仮想直線は、壁面１１の水平方向（Ｘ軸）及び鉛直方向（Ｙ軸）共に垂直であり、かつ奥行方向（Ｚ軸）と平行である。本発明では、仮想直線が１．６〜３．４ｍの距離、すなわち、噴射目標位置Ｂから直線距離で１．６〜３．４ｍ離れた噴射位置Ａから、噴射目標位置Ｂに向けて本発明の害虫防除用エアゾール剤を噴射する。
該距離が１．６ｍ未満であると、壁面１１をエアゾール剤から噴射された噴霧粒子で過剰に濡らすことになり好ましくない。また、３．４ｍを超えると、噴霧粒子が壁面１１に到達した後、該壁面に沿うように流動することが妨げられ、害虫の防除効果が不十分となる。噴射目標位置Ｂからの噴射位置Ａの距離は、１．８〜３．２ｍであることがより好ましく、２〜３ｍであることが更に好ましい。
【００３７】
また、本発明では、対象面の噴射目標位置Ｂから壁面１１に沿って５０ｃｍ離れた箇所を移動点Ｂ’としたときの、各位置における噴霧粒子の付着量を特定の範囲とすることが好ましい。具体的に、図１及び図２に示すように、壁面１１の噴射目標位置Ｂを中心とする１３００ｃｍ２の領域Ｐ１内に付着したエアゾール剤の原液量を原液量（ａ）とし、壁面１１の噴射目標位置Ｂからの距離Ｄ２が５０ｃｍ離れた位置（移動点Ｂ’）に噴射方向と平行に設けられた、壁面１１と同じ材質からなる板材の１３００ｃｍ２の領域Ｐ２に付着したエアゾール剤の原液量を原液量（ｂ）としたとき、原液量（ａ）に対する原液量（ｂ）の割合（ｂ）／（ａ）が０．１５以上であることが好ましい。
割合（ｂ）／（ａ）が０．１５以上であることにより、対象面である壁面１１に沿って噴霧粒子を流動させることができるので薬剤を拡散させることができ、広範囲に亘って害虫の防除効果を得ることができる。特に対象面に平行してカーテンやタンス等の障害物がある場合、該障害物と対象面との間に潜んでいる害虫を更に効率的に駆除することが可能となる。
割合（ｂ）／（ａ）は、０．２５以上がより好ましい。また、その上限は特に限定されないが、２．０以下が好ましく、１．０以下がより好ましい。
【００３８】
上記実施形態では、噴射対象の対象面に垂直な方向からエアゾール剤を噴射する態様について説明したが、本発明の害虫防除方法は上記した実施形態に限定されず、例えば、噴射対象の対象面に対して斜め方向から噴射してもよい。
【００３９】
図３は、本発明の害虫防除方法の第２実施形態を説明するための部屋の概略平面図である。図３において、部屋１０は、図１と同様に、壁面１１，１２，１３，１４と図示しない床面と天井により囲まれて構成されている。
第２実施形態では、噴射位置Ａは、対象面の噴射目標位置Ｂから垂直に延びた直線上の位置から水平方向（Ｘ軸）に角度αでずれている。この場合、角度αは例えば０°を超えて９０°未満であることができる。害虫防除用エアゾール剤の噴射位置Ａと噴射目標位置Ｂとの直線距離Ｄ１は１．６〜３．４ｍの範囲であり、本発明の害虫用エアゾール剤を用いて前記範囲の角度αで、１．６〜３．４ｍ離れた位置から壁面１１に対して噴射することで、本発明の所望の効果を得ることができる。噴射目標位置Ｂからの噴霧粒子の流動性の観点から、角度αは５〜６０°がより好ましい。
【００４０】
図４は、本発明の害虫防除方法の第３実施形態を説明するための部屋の概略側面図である。図４において、部屋１０は、四方を囲む壁面１１，１３と床面１５、天井１６により囲まれて構成されている。
第３実施形態では、噴射位置Ａは、対象面の噴射目標位置Ｂから垂直に延びた直線上の位置から鉛直方向（Ｙ軸）に角度βでずれている。この場合角度βは例えば０°を超えて±９０°未満であることができる。害虫防除用エアゾール剤の噴射位置Ａと噴射目標位置Ｂとの直線距離Ｄ１は１．６〜３．４ｍの範囲であり、本発明の害虫用エアゾール剤を用いて前記範囲の角度βで、１．６〜３．４ｍ離れた位置から壁面１１に対して噴射することで、本発明の所望の効果を得ることができる。なお、＋（プラス）は噴射目標位置Ｂよりも上方位置（天井側）であることを示し、−（マイナス）は噴射目標位置Ｂよりも下方位置（床側）であることを示す。噴射目標位置Ｂからの噴霧粒子の流動性の観点から、角度βは−３０〜＋３０°がより好ましい。
【００４１】
なお、噴射位置Ａは第２実施形態と第３実施形態で説明した位置を組み合わせた位置であってもよく、その場合も害虫防除用エアゾール剤の噴射位置Ａと噴射目標位置Ｂとの直線距離Ｄ１を１．６〜３．４ｍの範囲とする。
【００４２】
上記した第１実施形態から第３実施形態では、噴射対象が室内の壁面である場合を例にとり説明したが、本発明において噴射対象は屋内のいずれの場所でもよい。害虫防除用エアゾール剤から噴射された薬剤を噴射面に沿って流動させるという観点から、噴射対象が平面であることが好ましい。
具体的に、噴射対象としては、壁、パーテーション壁、窓ガラス、天井、ドア等が挙げられる。
【００４３】
また、本発明の害虫防除方法は、噴射対象に略平行して障害物が配置されている場合に効果的に利用できる。障害物としては、例えば、カーテン、タンス、ソファ、食器棚、書棚、冷蔵庫等が挙げられる。本発明の害虫防除方法によれば、薬剤を噴射対象の対象面に沿って流動させることができるので、噴射対象の対象面と障害物との間の空間に潜む害虫に対しても効果的に駆除することができる。
【００４４】
本発明の害虫防除方法により防除する対象害虫としては、例えば、蚊、ハエ、ガ、ハチ、カメムシ、ゴキブリ、アリ、クモ、ダンゴムシ、ダニ、シラミ等が挙げられる。
【実施例】
【００４５】
以下、本発明を実施例及び比較例により更に説明するが、本発明は下記例に制限されるものではない。
【００４６】
＜＜試験例１＞＞
（実施例１）
＜エアゾール剤の作製＞
表１及び表２の処方に従い、原液と噴射剤を準備した。原液は、ｄ−Ｔ８０−フタルスリン、フェノトリン、ミリスチン酸イソプロピルをそれぞれ配合処方に従って測り取り、１号灯油で１００ｍＬにまでメスアップして調製した。
エアゾール缶に原液１３５ｍＬを充填し、エアゾールバルブ（ステム孔径：φ０．６ｍｍ×２個、ハウジング：ＵＴ（Under Tap）φ２．２ｍｍ、ＶＴ（Vapour Tap）φ０．５ｍｍ）を取り付けてクリンチし、エアゾールバルブを通して噴射剤３１５ｍＬを圧入した。原液と噴射剤の液ガス比（容量比）は原液／噴射剤＝３０／７０であった。続いて、トリガーボタン（孔径：φ０．８ｍｍ）を取り付けてエアゾール剤を作製した。
作製したエアゾール剤の噴射力は７．９ｇｆ／５０ｃｍ（０．０７７Ｎ／５０ｃｍ）であり、噴射量は１９ｇ（原液として９ｍＬ）／１０秒であった。
なお、噴射力は、２５℃の室温下で噴射孔から５０ｃｍの距離からデジタルフォースゲージ（型番：ＤＳ２−２Ｎ、株式会社イマダ製）に装着したφ４０ｍｍの円状の平板の中心に向かってエアゾール剤を３秒間噴射した際の最大値を噴射圧として測定し、３回測定した平均値を算出した。
【００４７】
【表１】
2018093866.tif 000003
【００４８】
【表２】
2018093866.tif 000004
【００４９】
＜濡れ確認試験＞
図１及び図２に示すような８畳の部屋１０を用意し、壁面１１の噴射目標位置Ｂに、１３００ｃｍ２のろ紙Ｐ１を設置した。また、噴射目標位置Ｂから水平に５０ｃｍ移動した移動点Ｂ’に、奥行方向（Ｚ軸）に平行となるように１３００ｃｍ２のろ紙Ｐ２を貼り付けた板材を設置した。
噴射目標位置Ｂに対して水平に２ｍ離れた噴射位置Ａから、ろ紙Ｐ１に向けてエアゾール剤を１０秒間噴射した。噴射量は原液９ｍＬであった。
【００５０】
噴射後、噴射目標位置Ｂのろ紙Ｐ１と移動点Ｂ’の板材に貼り付けられたろ紙Ｐ２における濡れ性を下記基準により評価した。結果を表３に示す。
〔評価基準〕
５：１２００ｃｍ２以上の範囲で濡れており、濡れが気になる。
４：４００ｃｍ２以上１２００ｃｍ２未満の範囲で濡れており、濡れがやや気になる。
３：４００ｃｍ２未満の濡れが見られ、濡れがわずかに気になる。
２：濡れが確認できるが、ほとんど気にならない。
１：濡れがなく、全く気にならない。
【００５１】
その後、ろ紙Ｐ１とろ紙Ｐ２を回収し、各々のろ紙の重量を測定して、試験前のろ紙の重量を差し引くことによりろ紙に付着した原液量を求めた。ろ紙Ｐ１に付着した原液量を原液量（ａ）とし、ろ紙Ｐ２に付着した原液量を原液量（ｂ）としたときの、原液量（ａ）に対する原液量（ｂ）の割合（ｂ）／（ａ）を計算した。結果を表３に示す。
【００５２】
（実施例２〜３及び比較例１〜５）
実施例１において、エアゾール剤の噴射位置Ａと噴射目標位置Ｂとの距離を表３のように変更したこと以外は、実施例１を繰り返した。結果を表３に示す。
【００５３】
【表３】
2018093866.tif 000005
【００５４】
表３の結果から、実施例１〜３の（ｂ）／（ａ）はそれぞれ、０．２９、０．４０、０．５０であり、エアゾール剤の噴霧粒子が噴射目標位置Ｂから壁面１１に沿うように流動し、結果として障害物に潜む害虫を防除できることが示唆された。また、実施例１〜３の濡れ性はいずれも良好であるのに対し、比較例１〜２は濡れ性が悪化した。比較例３〜５は、噴射目標位置Ｂに設置したろ紙Ｐ１への原液付着量が０．０１ｇ以下であり、また、（ｂ）／（ａ）の値がいずれも０であるため、害虫の防除効果は低いと推定された。
【００５５】
＜＜試験例２＞＞
（実施例４〜５及び比較例６〜７）
表４に記載の噴射力となるように、エアゾール剤における原液と噴射剤の液ガス比（容量比）、並びにエアゾールバルブとトリガーボタンの仕様を表４のように変更した以外は、実施例１と同様にしてエアゾール剤を作製した。
【００５６】
＜噴射力の測定＞
２５℃の室温下で噴射孔から５０ｃｍの距離からデジタルフォースゲージ（型番：ＤＳ２−２Ｎ、株式会社イマダ製）に装着したφ４０ｍｍの円状の平板の中心に向かってエアゾール剤を３秒間噴射した際の最大値を噴射圧として測定した。測定は３回行い、平均値を算出した。
【００５７】
【表４】
2018093866.tif 000006
【００５８】
＜濡れ確認試験＞
試験例１の実施例１と同様の試験設備を用い、実施例１と同様にして、噴射目標位置Ｂに対して水平に２ｍ離れた噴射位置Ａから、ろ紙Ｐ１に向けてエアゾール剤を、原液が９ｍＬ噴射されるように噴射した。
噴射後、ろ紙Ｐ１とろ紙Ｐ２を回収し、各々のろ紙の重量を測定して、試験前のろ紙の重量を差し引くことによりろ紙に付着した原液量を求めた。ろ紙Ｐ１に付着した原液量を原液量（ａ）とし、ろ紙Ｐ２に付着した原液量を原液量（ｂ）としたときの、原液量（ａ）に対する原液量（ｂ）の割合（ｂ）／（ａ）を計算した。結果を表５に示す。
【００５９】
【表５】
2018093866.tif 000007
【００６０】
表５の結果から、実施例４、５の濡れ性はいずれも良好であり、また（ｂ）／（ａ）がそれぞれ０．２９、０．７５であるので、エアゾール剤の噴霧粒子が噴射目標位置Ｂから壁面１１に沿うように流動し、広範囲に薬剤を行き渡らせることができることが示唆された。比較例６は濡れ性は良好であるものの、（ｂ）／（ａ）が０であり、害虫防除効果は低いと考えられる。比較例７は、濡れ性が悪化した。
【００６１】
＜＜試験例３＞＞
（実施例６〜７及び比較例８）
表６に記載の噴射力となるように、エアゾール剤における原液と噴射剤の液ガス比（容量比）、並びにエアゾールバルブとトリガーボタンの仕様を表６のように変更した以外は、実施例１と同様にしてエアゾール剤を作製した。なお、実施例６、７、比較例８のエアゾール剤は試験例２の実施例４、５、比較例６と同仕様である。
【００６２】
＜効力確認試験＞
図５に示すような８畳の部屋１０を用意し、部屋１０の壁面１１の噴射目標位置Ｂから水平に５０ｃｍ離れた移動点Ｂ’の前面にカーテン１７を設置し、移動点Ｂ’には、供試虫（アカイエカのメス１０頭）の入った２０メッシュナイロン製ケージ１８（１辺２３ｃｍの正方形のメッシュシートを筒状にし、開口両端はホッチキスで閉じ、２３×１１ｃｍの袋状としたもの）を吊るした。なお、壁面１１とカーテン１７との間は２０ｃｍとした。
噴射目標位置Ｂに対して水平に２ｍ離れた噴射位置Ａから、エアゾール剤を原液が３ｍＬ噴射されるように噴射した。
噴射終了から１０秒後、供試虫のノックダウン率（ＫＤ率）を測定した。試験は３回繰り返して行い、その平均値を求めた。結果を表６に示す。
【００６３】
【表６】
2018093866.tif 000008
【００６４】
表６の結果から、実施例６、７のＫＤ率は、比較例８に比べて非常に高かった。このことから、実施例６、７はエアゾール剤の噴霧粒子が噴射目標位置Ｂから壁面１１に沿うように流動し、結果としてカーテン１７のような障害物の裏に潜む害虫を防除できることがわかった。
【００６５】
＜＜試験例４＞＞
（実施例８〜１１及び比較例９）
実施例１で作製したエアゾール剤を用い、壁面１１に対する噴射距離と噴射角度を変更して薬剤の流動性の確認を行った。
図３に示すような８畳の部屋１０を用意し、壁面１１の噴射目標位置Ｂに、１３００ｃｍ２のろ紙Ｐ１を設置し、また、噴射目標位置Ｂから水平に５０ｃｍ移動した移動点Ｂ’に、奥行方向（Ｚ軸）に平行となるように１３００ｃｍ２のろ紙Ｐ２を貼り付けた板材を設置した。
エアゾール剤の噴射位置Ａと噴射目標位置Ｂとの距離を表７のように変更し、かつ、図３に示したように、噴射位置Ａを水平方向（Ｘ軸）に表７に記載の角度αでずらして、ろ紙Ｐ１に向けてエアゾール剤を１０秒間噴射した。噴射量は原液９ｍＬであった。
【００６６】
噴射後、ろ紙Ｐ１とろ紙Ｐ２を回収し、各々のろ紙の重量を測定して、試験前のろ紙の重量を差し引くことによりろ紙に付着した原液量を求めた。ろ紙Ｐ１に付着した原液量を原液量（ａ）とし、ろ紙Ｐ２に付着した原液量を原液量（ｂ）としたときの、原液量（ａ）に対する原液量（ｂ）の割合（ｂ）／（ａ）を計算した。結果を表７に示す。
【００６７】
【表７】
2018093866.tif 000009
【００６８】
表７の結果から、実施例８〜１１の（ｂ）／（ａ）はそれぞれ、０．７１、０．６７、０．４０、０．３０であり、噴射位置Ａが水平方向（Ｘ軸）にずれていても、エアゾール剤の噴霧粒子が噴射目標位置Ｂから壁面１１に沿うように流動し、広範囲に薬剤を行き渡らせることができることがわかった。
【００６９】
＜＜試験例５＞＞
（実施例１２〜１５）
実施例１で作製したエアゾール剤を用い、壁面１１に対する噴射距離と噴射角度を変更して薬剤の流動性の確認を行った。
図４に示すような８畳の部屋１０を用意し、壁面１１の噴射目標位置Ｂに、１３００ｃｍ２のろ紙Ｐ１を設置し、また、噴射目標位置Ｂから水平に５０ｃｍ移動した移動点Ｂ’に、奥行方向（Ｚ軸）に平行となるように１３００ｃｍ２のろ紙Ｐ２を貼り付けた板材を
設置した。
エアゾール剤の噴射位置Ａと噴射目標位置Ｂとの距離を表８のように変更し、かつ、図４に示したように、噴射位置Ａを鉛直方向（Ｙ軸）に表８に記載の角度βでずらして、ろ紙Ｐ１に向けてエアゾール剤を１０秒間噴射した。噴射量は原液９ｍＬであった。
なお、表８において、角度βがマイナスを示す場合は、噴射位置Ａが噴射目標位置Ｂよりも室内の下方であることを意味し、プラスを示す場合は噴射目標位置Ｂよりも室内の上方であることを意味する。
【００７０】
噴射後、ろ紙Ｐ１とろ紙Ｐ２を回収し、各々のろ紙の重量を測定して、試験前のろ紙の重量を差し引くことによりろ紙に付着した原液量を求めた。ろ紙Ｐ１に付着した原液量を原液量（ａ）とし、ろ紙Ｐ２に付着した原液量を原液量（ｂ）としたときの、原液量（ａ）に対する原液量（ｂ）の割合（ｂ）／（ａ）を計算した。結果を表８に示す。
【００７１】
【表８】
2018093866.tif 000010
【００７２】
表８の結果から、実施例１２〜１５の（ｂ）／（ａ）はそれぞれ、０．２７、０．２９、０．３０、０．３３であり、噴射位置Ａが鉛直方向（Ｙ軸）にずれていても、エアゾール剤の原液粒子が噴射目標位置Ｂから壁面１１に沿うように流動し、広範囲に薬剤を行き渡らせることができることがわかった。
【符号の説明】
【００７３】
１０：  部屋
１１，１２，１３，１４：  壁面
１５：  床面
１６：  天井
１７：  カーテン
１８：  ケージ
Ａ：    噴射位置
Ｂ：    噴射目標位置
Ｂ’：  移動点
Ｃ：    エアゾール剤の噴射直線方向
Ｄ１：  噴射位置と噴射目標位置との距離
Ｐ１：  １３００ｃｍ２の領域（ろ紙）
Ｐ２：  １３００ｃｍ２の領域（ろ紙）
【図１】
2018093866.tif 000011
【図２】
2018093866.tif 000012
【図３】
2018093866.tif 000013
【図４】
2018093866.tif 000014
【図５】
2018093866.tif 000015